(57)【要約】【課題】本発明はパソコンデスクを開示した。【解決手段】デスク面を含み、脚を直接に第二シェルフに載せ、脚の重力の下で引縄を引いて下へ移動させ、引縄がスライドブロックをスライド連動させ、ばねを圧縮し始め、ばねの推力と脚の重力とがバランスを取った後に第二シェルフの位置が安定し、本発明には腕を置くと脚を載せることができるシェルフが備わっており、それにより、身体がなるべく気楽な状態を保つことができ、ホストコンピュータがホストコンピュータチャンバの中のいろいろな線路と連結されることができ、ディスプレー装置がデスク面の線路と連結されることができ、線路がより整っていて清潔であり、装置整体がきれいに見え、ホストコンピュータチャンバに設置されるろ過部品はホストコンピュータの中にほこりを積み上げることを防止できる。【選択図】図１
2020179112.tif 000002
【特許請求の範囲】
【請求項１】
正面視で、デスク面を含み、前記デスク面の頂部端面にはディスプレー装置を置くことができ、前記デスク面の底部端面には前後左右対称であるデスク脚が設置され、前記デスク面の中には二つの対称的で、且つ腕を置くことができる、折り畳み可能な腕支持部品が設置され、前記腕支持部品は前記デスク面の底部端面に位置する二つの板溝を含み、前記板溝の左右壁の間には回転溝が設置され、前記回転溝の間には回転ロッドが回転できるように装着され、前記回転ロッドには第一シェルフが固定的に取り付けられ、前記第一シェルフを前記板溝の中に収めることができ、左右両側の前記腕支持部品の間には脚を載せられ、且つ上下に収縮することができる脚載せ部品が設置され、前記デスク面の底部端面にはピーシーケースが設置され、前記ピーシーケースの中には前方に開口したホストコンピュータチャンバが設置され、前記ホストコンピュータチャンバの中にはホストコンピュータを置くことができ、前記ピーシーケースの中及び前記デスク面の間には前記ホストコンピュータと前記ディスプレー装置とを連結する配線部品が設置され、前記ピーシーケースの中には空気の中のほこりをろ過するろ過部品が設置され、前記デスク面の底部端面の中にはまたスライドできる引き出し部品が設置されることを特徴とするパソコンデスク。
【請求項２】
前記腕支持部品はまた前記回転溝の右側に位置する引っ掛かり溝を含み、前記引っ掛かり溝の中にはスプラインブロックが弾性的に取り付けられ、前記回転ロッドが前記引っ掛かり溝の中に入り、前記回転ロッドと前記スプラインブロックとをスプラインにより結合し、前記引っ掛かり溝の底壁には下方に開口した回し溝が設置され、前記スプラインブロックの底部端面には回しブロックが設置され、前記回しブロックが前記回し溝から突き出、前記脚載せ部品は二つの前記板溝の間に位置する二つのスライドブロック溝を含み、前記スライドブロック溝の後側壁には縄巻きチャンバが連通するように設置され、前記縄巻きチャンバが下方に開口しており、前記スライドブロック溝の中にはスライドブロックがスライドできるように取り付けされ、前記縄巻きチャンバの左右壁の間にはリールが回転できるように取り付けられ、前記スライドブロックの後側端面には引縄が連結され、前記引縄が前記リールを避けて通った後前記縄巻きチャンバから突き出、左右両側の前記引縄の間には第二シェルフが連結され、前記スライドブロックと前記スライドブロック溝の後側壁との間にはばねが設置され、
前記回しブロックを右へプッシュして前記スプラインブロックを連動させて右へ移動させ、前記第一シェルフを半周反転させ、前記回しブロックを放した後に前記スプラインブロックが復帰して前記回転ロッドをロックし、脚を直接に前記第二シェルフに載せ、前記引縄と前記スライドブロックとを引いて移動させ、前記ばねを圧縮し始め、前記ばねの推力と脚の重力とがバランスを取った後に前記第二シェルフの位置が安定することを特徴とする請求項１に記載のパソコンデスク。
【請求項３】
前記配線部品は前記ホストコンピュータチャンバの頂壁上方に位置する三つの伸縮チャンバを含み、左から右までの前記伸縮チャンバの中には順にＵＳＢケーブルと、第一データ線と第一電源コードとが設置され、前記伸縮チャンバの後側壁には弾力帯が設置され、前記ＵＳＢケーブルと、第一データ線と第一電源コードには連結ブロックが設置され、前記弾力帯と前記連結ブロックとが固定的に連結され、前記デスク面の頂部端面には二つのＵＳＢコネクタ箱が設置され、前記ＵＳＢコネクタ箱と前記ＵＳＢケーブルとが連結され、前記ピーシーケースの右側端面には第二電源コードが連結され、前記第二電源コードと前記第一電源コードとが連結され、前記ディスプレー装置と前記デスク面との間には第二データ線と第三電源コードとが連結され、前記第二データ線と前記第一データ線とが連結され、前記前記第三電源コードと前記第二電源コードとが連結され、
前記ディスプレイ装置と前記ホストコンピュータとの連結に便利であることを特徴とする請求項１に記載のパソコンデスク。
【請求項４】
前記ろ過部品は、前記ホストコンピュータチャンバの後側壁に位置し、且つ後方に開口した第一ろ過溝を含み、前記ピーシーケースの左端面には前記第一ろ過溝を貫通する第一フィルタースクリーンプレートが挿入連結されるように装着され、前記ホストコンピュータチャンバの左側壁には左方に開口した第二ろ過溝が設置され、前記ピーシーケースの前側端面には前記第二ろ過溝を貫通する第二フィルタースクリーンプレートが挿入連結されるように装着され、前記ピーシーケースの前側端面には遮りドアがヒンジにより連結され、
前記ホストコンピュータを起動する時、空気が前記第二フィルタースクリーンプレートによりろ過された後に前記ホストコンピュータの中に吸い込まれ、前記第一フィルタースクリーンプレートから吹き出されることを特徴とする請求項１に記載のパソコンデスク。
【請求項５】
前記引き出し部品は前記デスク面の中に位置し、且つ下方に開口した二つのＴ型溝を含み、前記Ｔ型溝の底壁の中にはローラが回転できるように取り付けられ、前記ローラにはＴ型ブロックがスライドできるように取り付けられ、前記Ｔ型ブロックの底部端面には引出し箱が連結され、前記引出し箱がスライドして使用されることができることを特徴とする請求項１に記載のパソコンデスク。
【発明の詳細な説明】
【技術分野】
【０００１】
本発明はコンピュータデスク分野に関わり、具体的にはパソコンデスクである。
【背景技術】
【０００２】
デスクトップパソコンは一般にコンピュータデスクに置かれ、デスクトップパソコンに多いデータケーブルがあり、きちんと整理しないと散らかって見え、多数のパソコンデスクを設計する人はデータケーブルの並び問題をあまり考えなく、また長い時間でパソコンを使用すると体が疲れ、現有のパソコンデスクには体をリラックスさせる設計が欠けている。
【先行技術文献】
【特許文献】
【０００３】
【特許文献１】中国特許出願公開第１０６３８８２７５号明細書
【発明の概要】
【発明が解決しようとする課題】
【０００４】
本発明はパソコンデスクを提供し、既存技術の中の上記欠点を解消することを目的とする。
【課題を解決するための手段】
【０００５】
本発明実施例のパソコンデスクは、デスク面を含み、前記デスク面の頂部端面にはディスプレー装置を置くことができ、前記デスク面の底部端面には前後左右対称であるデスク脚が設置され、前記デスク面の中には二つの対称的で、且つ腕を置くことができる、折り畳み可能な腕支持部品が設置され、前記腕支持部品は前記デスク面の底部端面に位置する二つの板溝を含み、前記板溝の左右壁の間には回転溝が設置され、前記回転溝の間には回転ロッドが回転できるように装着され、前記回転ロッドには第一シェルフが固定的に取り付けられ、前記第一シェルフを前記板溝の中に収めることができ、左右両側の前記腕支持部品の間には脚を載せられ、且つ上下に収縮することができる脚載せ部品が設置され、前記デスク面の底部端面にはピーシーケースが設置され、前記ピーシーケースの中には前方に開口したホストコンピュータチャンバが設置され、前記ホストコンピュータチャンバの中にはホストコンピュータを置くことができ、前記ピーシーケースの中及び前記デスク面の間には前記ホストコンピュータと前記ディスプレー装置とを連結する配線部品が設置され、前記ピーシーケースの中には空気の中のほこりをろ過するろ過部品が設置され、前記デスク面の底部端面の中にはまたスライドできる引き出し部品が設置される。
【０００６】
さらなる技術プランとして、前記腕支持部品はまた前記回転溝の右側に位置する引っ掛かり溝を含み、前記引っ掛かり溝の中にはスプラインブロックが弾性的に取り付けられ、前記回転ロッドが前記引っ掛かり溝の中に入り、前記回転ロッドと前記スプラインブロックとをスプラインにより結合し、前記引っ掛かり溝の底壁には下方に開口した回し溝が設置され、前記スプラインブロックの底部端面には回しブロックが設置され、前記回しブロックが前記回し溝から突き出、前記脚載せ部品は二つの前記板溝の間に位置する二つのスライドブロック溝を含み、前記スライドブロック溝の後側壁には縄巻きチャンバが連通するように設置され、前記縄巻きチャンバが下方に開口しており、前記スライドブロック溝の中にはスライドブロックがスライドできるように取り付けされ、前記縄巻きチャンバの左右壁の間にはリールが回転できるように取り付けられ、前記スライドブロックの後側端面には引縄が連結され、前記引縄が前記リールを避けて通った後前記縄巻きチャンバから突き出、左右両側の前記引縄の間には第二シェルフが連結され、前記スライドブロックと前記スライドブロック溝の後側壁との間にはばねが設置される。
【０００７】
さらなる技術プランとして、前記配線部品は前記ホストコンピュータチャンバの頂壁上方に位置する三つの伸縮チャンバを含み、左から右までの前記伸縮チャンバの中には順にＵＳＢケーブルと、第一データ線と第一電源コードとが設置され、前記伸縮チャンバの後側壁には弾力帯が設置され、前記ＵＳＢケーブルと、第一データ線と第一電源コードには連結ブロックが設置され、前記弾力帯と前記連結ブロックとが固定的に連結され、前記デスク面の頂部端面には二つのＵＳＢコネクタ箱が設置され、前記ＵＳＢコネクタ箱と前記ＵＳＢケーブルとが連結され、前記ピーシーケースの右側端面には第二電源コードが連結され、前記第二電源コードと前記第一電源コードとが連結され、前記ディスプレー装置と前記デスク面との間には第二データ線と第三電源コードとが連結され、前記第二データ線と前記第一データ線とが連結され、前記前記第三電源コードと前記第二電源コードとが連結される。
【０００８】
さらなる技術プランとして、前記ろ過部品は、前記ホストコンピュータチャンバの後側壁に位置し、且つ後方に開口した第一ろ過溝を含み、前記ピーシーケースの左端面には前記第一ろ過溝を貫通する第一フィルタースクリーンプレートが挿入連結されるように装着され、前記ホストコンピュータチャンバの左側壁には左方に開口した第二ろ過溝が設置され、前記ピーシーケースの前側端面には前記第二ろ過溝を貫通する第二フィルタースクリーンプレートが挿入連結されるように装着され、前記ピーシーケースの前側端面には遮りドアがヒンジにより連結される。
【０００９】
さらなる技術プランとして、前記引き出し部品は前記デスク面の中に位置し、且つ下方に開口した二つのＴ型溝を含み、前記Ｔ型溝の底壁の中にはローラが回転できるように取り付けられ、前記ローラにはＴ型ブロックがスライドできるように取り付けられ、前記Ｔ型ブロックの底部端面には引出し箱が連結される。
【発明の効果】
【００１０】
本発明の有益な効果は：本発明には腕を置くと脚を載せることができるシェルフが備わっており、それにより、身体がなるべく気楽な状態を保つことができ、ホストコンピュータがホストコンピュータチャンバの中のいろいろな線路と連結されることができ、ディスプレー装置がデスク面の線路と連結されることができ、線路がより整っていて清潔であり、装置整体がきれいに見え、ホストコンピュータチャンバに設置されるろ過部品はホストコンピュータの中にほこりを積み上げることを防止でき、普及する価値がある。
【図面の簡単な説明】
【００１１】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の全体構造概略図
【図２】図２はピーシーケースのＡ方向の構成概略図
【図３】図３はピーシーケースのＢ―Ｂ方向の断面構成概略図
【図４】図４は図１の中のＣ―Ｃ方向の断面構成概略図
【図５】図５は図１の中のＤ―Ｄ方向の断面構成概略図
【図６】図６は図１の中のＥのところの拡大概略図
【図７】図７は図１の中のＦのところの拡大概略図
【図８】図８は図１の中のＧのところの拡大概略図
【発明を実施するための形態】
【００１３】
図１〜８を参照し、本発明実施例のパソコンデスクは、デスク面１０を含み、前記デスク面１０の頂部端面にはディスプレー装置２１を置くことができ、前記デスク面１０の底部端面には前後左右対称であるデスク脚１１が設置され、前記デスク面１０の中には二つの対称的で、且つ腕を置くことができる、折り畳み可能な腕支持部品９０１が設置され、前記腕支持部品９０１は前記デスク面１０の底部端面に位置する二つの板溝３７を含み、前記板溝３７の左右壁の間には回転溝４０が設置され、前記回転溝４０の間には回転ロッド４１が回転できるように装着され、前記回転ロッド４１には第一シェルフ３８が固定的に取り付けられ、前記第一シェルフ３８を前記板溝３７の中に収めることができ、左右両側の前記腕支持部品９０１の間には脚を載せられ、且つ上下に収縮することができる脚載せ部品９０２が設置され、前記デスク面１０の底部端面にはピーシーケース１２が設置され、前記ピーシーケース１２の中には前方に開口したホストコンピュータチャンバ１４が設置され、前記ホストコンピュータチャンバ１４の中にはホストコンピュータ１９を置くことができ、前記ピーシーケース１２の中及び前記デスク面１０の間には前記ホストコンピュータ１９と前記ディスプレー装置２１とを連結する配線部品９０３が設置され、前記ピーシーケース１２の中には空気の中のほこりをろ過するろ過部品９０４が設置され、前記デスク面１０の底部端面の中にはまたスライドできる引き出し部品９０５が設置される。
【００１４】
前記腕支持部品９０１はまた前記回転溝４０の右側に位置する引っ掛かり溝４６を含み、前記引っ掛かり溝４６の中にはスプラインブロック４５が弾性的に取り付けられ、前記回転ロッド４１が前記引っ掛かり溝４６の中に入り、前記回転ロッド４１と前記スプラインブロック４５とをスプラインにより結合し、前記引っ掛かり溝４６の底壁には下方に開口した回し溝４７が設置され、前記スプラインブロック４５の底部端面には回しブロック４８が設置され、前記回しブロック４８が前記回し溝４７から突き出、前記脚載せ部品９０２は二つの前記板溝３７の間に位置する二つのスライドブロック溝３５を含み、前記スライドブロック溝３５の後側壁には縄巻きチャンバ３３が連通するように設置され、前記縄巻きチャンバ３３が下方に開口しており、前記スライドブロック溝３５の中にはスライドブロック３６がスライドできるように取り付けされ、前記縄巻きチャンバ３３の左右壁の間にはリール３４が回転できるように取り付けられ、前記スライドブロック３６の後側端面には引縄２４が連結され、前記引縄２４が前記リール３４を避けて通った後前記縄巻きチャンバ３３から突き出、左右両側の前記引縄２４の間には第二シェルフ２５が連結され、前記スライドブロック３６と前記スライドブロック溝３５の後側壁との間にはばね６７が設置され、回しブロック４８を右へプッシュしてスプラインブロック４５を連動させて右へ移動させ、前記第一シェルフ３８を半周反転させ、回しブロック４８を放した後にスプラインブロック４５が復帰して回転ロッド４１をロックし、脚を直接に第二シェルフ２５に載せ、引縄２４とスライドブロック３６とを引いて移動させ、ばね６７を圧縮し始め、ばね６７の推力と脚の重力とがバランスを取った後に第二シェルフ２５の位置が安定する。
【００１５】
前記配線部品９０３は前記ホストコンピュータチャンバ１４の頂壁上方に位置する三つの伸縮チャンバ４３を含み、左から右までの前記伸縮チャンバ４３の中には順にＵＳＢケーブル１６と、第一データ線１７と第一電源コード１８とが設置され、前記伸縮チャンバ４３の後側壁には弾力帯４２が設置され、前記ＵＳＢケーブル１６と、第一データ線１７と第一電源コード１８には連結ブロック４４が設置され、前記弾力帯４２と前記連結ブロック４４とが固定的に連結され、前記デスク面１０の頂部端面には二つのＵＳＢコネクタ箱２０が設置され、前記ＵＳＢコネクタ箱２０と前記ＵＳＢケーブル１６とが連結され、前記ピーシーケース１２の右側端面には第二電源コード６６が連結され、前記第二電源コード６６と前記第一電源コード１８とが連結され、前記ディスプレー装置２１と前記デスク面１０との間には第二データ線２２と第三電源コード２３とが連結され、前記第二データ線２２と前記第一データ線１７とが連結され、前記前記第三電源コード２３と前記第二電源コード６６とが連結され、それによりディスプレイ装置２１とホストコンピュータ１９との連結に便利である。
【００１６】
前記ろ過部品９０４は、前記ホストコンピュータチャンバ１４の後側壁に位置し、且つ後方に開口した第一ろ過溝３１を含み、前記ピーシーケース１２の左端面には前記第一ろ過溝３１を貫通する第一フィルタースクリーンプレート１３が挿入連結されるように装着され、前記ホストコンピュータチャンバ１４の左側壁には左方に開口した第二ろ過溝２８が設置され、前記ピーシーケース１２の前側端面には前記第二ろ過溝２８を貫通する第二フィルタースクリーンプレート３０が挿入連結されるように装着され、前記ピーシーケース１２の前側端面には遮りドア３２がヒンジにより連結され、ホストコンピュータ１９を起動する時、空気が第二フィルタースクリーンプレート３０によりろ過された後にホストコンピュータ１９の中に吸い込まれ、第一フィルタースクリーンプレート１３から吹き出される。
【００１７】
前記引き出し部品９０５は前記デスク面１０の中に位置し、且つ下方に開口した二つのＴ型溝５０を含み、前記Ｔ型溝５０の底壁の中にはローラ５２が回転できるように取り付けられ、前記ローラ５２にはＴ型ブロック５１がスライドできるように取り付けられ、前記Ｔ型ブロック５１の底部端面には引出し箱２６が連結され、引出し箱２６がスライドして使用されることができる。
【００１８】
使用する時、第一シェルフ３８を反転させる時、回しブロック４８を右へプッシュしてスプラインブロック４５を連動させて右へ移動させ、スプラインブロック４５が回転ロッド４１との協働から離脱し、第一シェルフ３８が自重の作用の下で回転ロッド４１を回転連動させ始め、第一シェルフ３８を半周反転させ、回しブロック４８を放した後にスプラインブロック４５が復帰して回転ロッド４１と協働され、回転ロッド４１をロックする。
【００１９】
脚を載せる時、脚を第二シェルフ２５に載せ、脚の重力により引縄２４を引いて下へ移動させ、引縄２４がスライドブロック３６を移動連動させ、ばね６７を圧縮し始め、ばね６７の推力と脚の重力とがバランスを取った後に第二シェルフ２５の位置が安定する。
【００２０】
ＵＳＢケーブル１６とホストコンピュータ１９のＵＳＢ配線穴とが連結され、第一データ線１７とホストコンピュータ１９のディスプレー装置インターフェイスとが連結され、第一電源コード１８とホストコンピュータ１９の電源ポートとが連結され、ＵＳＢコネクタ箱２０にはＵＳＢメモリーと、マウスとキーボードなどを插入でき、第二電源コード６６が電源と連結されたあとにホストコンピュータ１９とディスプレー装置２１に電力を提供できる。
【００２１】
ホストコンピュータ１９を起動する時、空気が第二フィルタースクリーンプレート３０からホストコンピュータチャンバ１４の中に吸い込まれ、第一フィルタースクリーンプレート１３から吹き出され、吸い込まれた空気が第二フィルタースクリーンプレート３０によりろ過された後にホストコンピュータ１９の中に入り、ホストコンピュータ１９の中にほこりを積み上げることを防止する。
【００２２】
本発明の有益な効果は：本発明には腕を置くと脚を載せることができるシェルフが備わっており、それにより、身体がなるべく気楽な状態を保つことができ、ホストコンピュータがホストコンピュータチャンバの中のいろいろな線路と連結されることができ、ディスプレー装置がデスク面の線路と連結されることができ、線路がより整っていて清潔であり、装置整体がきれいに見え、ホストコンピュータチャンバに設置されるろ過部品はホストコンピュータの中にほこりを積み上げることを防止でき、普及する価値がある。
【００２３】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020179112.tif 000003
【図２】
2020179112.tif 000004
【図３】
2020179112.tif 000005
【図４】
2020179112.tif 000006
【図５】
2020179112.tif 000007
【図６】
2020179112.tif 000008
【図７】
2020179112.tif 000009
【図８】
2020179112.tif 000010
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
正面視で、デスク面を含み、前記デスク面の頂部端面にはディスプレー装置を置くことができ、前記デスク面の底部端面には前後左右対称であるデスク脚が設置され、前記デスク面の中には二つの対称的で、且つ腕を置くことができる、折り畳み可能な腕支持部品が設置され、前記腕支持部品は前記デスク面の底部端面に位置する二つの板溝を含み、前記板溝の左右壁の間には回転溝が設置され、前記回転溝の間には回転ロッドが回転できるように装着され、前記回転ロッドには第一シェルフが固定的に取り付けられ、前記第一シェルフを前記板溝の中に収めることができ、左右両側の前記腕支持部品の間には脚を載せられ、且つ上下に収縮することができる脚載せ部品が設置され、前記デスク面の底部端面にはピーシーケースが設置され、前記ピーシーケースの中には前方に開口したホストコンピュータチャンバが設置され、前記ホストコンピュータチャンバの中にはホストコンピュータを置くことができ、前記ピーシーケースの中及び前記デスク面の間には前記ホストコンピュータと前記ディスプレー装置とを連結する配線部品が設置され、前記ピーシーケースの中には空気の中のほこりをろ過するろ過部品が設置され、前記デスク面の底部端面の中にはまたスライドできる引き出し部品が設置されることを特徴とするパソコンデスク。
【請求項２】
前記腕支持部品はまた前記回転溝の右側に位置する引っ掛かり溝を含み、前記引っ掛かり溝の中にはスプラインブロックが弾性的に取り付けられ、前記回転ロッドが前記引っ掛かり溝の中に入り、前記回転ロッドと前記スプラインブロックとをスプラインにより結合し、前記引っ掛かり溝の底壁には下方に開口した回し溝が設置され、前記スプラインブロックの底部端面には回しブロックが設置され、前記回しブロックが前記回し溝から突き出し、前記脚載せ部品は二つの前記板溝の間に位置する二つのスライドブロック溝を含み、前記スライドブロック溝の後側壁には縄巻きチャンバが連通するように設置され、前記縄巻きチャンバが下方に開口しており、前記スライドブロック溝の中にはスライドブロックがスライドできるように取り付けされ、前記縄巻きチャンバの左右壁の間にはリールが回転できるように取り付けられ、前記スライドブロックの後側端面には引縄が連結され、前記引縄が前記リールを避けて通った後前記縄巻きチャンバから突き出し、左右両側の前記引縄の間には第二シェルフが連結され、前記スライドブロックと前記スライドブロック溝の後側壁との間にはばねが設置され、
前記回しブロックを右へプッシュして前記スプラインブロックを連動させて右へ移動させ、前記第一シェルフを半周反転させ、前記回しブロックを放した後に前記スプラインブロックが復帰して前記回転ロッドをロックし、脚を直接前記第二シェルフに載せ、前記引縄と前記スライドブロックとを引いて移動させ、前記ばねを圧縮し始め、前記ばねの推力と脚の重力とがバランスを取った後に前記第二シェルフの位置が安定することを特徴とする請求項１に記載のパソコンデスク。
【請求項３】
前記配線部品は前記ホストコンピュータチャンバの頂壁上方に位置する三つの伸縮チャンバを含み、左から右までの前記伸縮チャンバの中には順にＵＳＢケーブルと、第一データ線と第一電源コードとが設置され、前記伸縮チャンバの後側壁には弾力帯が設置され、前記ＵＳＢケーブルと、第一データ線と第一電源コードには連結ブロックが設置され、前記弾力帯と前記連結ブロックとが固定的に連結され、前記デスク面の頂部端面には二つのＵＳＢコネクタ箱が設置され、前記ＵＳＢコネクタ箱と前記ＵＳＢケーブルとが連結され、前記ピーシーケースの右側端面には第二電源コードが連結され、前記第二電源コードと前記第一電源コードとが連結され、前記ディスプレー装置と前記デスク面との間には第二データ線と第三電源コードとが連結され、前記第二データ線と前記第一データ線とが連結され、前記第三電源コードと前記第二電源コードとが連結され、
前記ディスプレー装置と前記ホストコンピュータとの連結に便利であることを特徴とする請求項１に記載のパソコンデスク。
【請求項４】
前記ろ過部品は、前記ホストコンピュータチャンバの後側壁に位置し、且つ後方に開口した第一ろ過溝を含み、前記ピーシーケースの左端面には前記第一ろ過溝を貫通する第一フィルタースクリーンプレートが挿入連結されるように装着され、前記ホストコンピュータチャンバの左側壁には左方に開口した第二ろ過溝が設置され、前記ピーシーケースの前側端面には前記第二ろ過溝を貫通する第二フィルタースクリーンプレートが挿入連結されるように装着され、前記ピーシーケースの前側端面には遮りドアがヒンジにより連結され、前記ホストコンピュータを起動する時、空気が前記第二フィルタースクリーンプレートによりろ過された後に前記ホストコンピュータの中に吸い込まれ、前記第一フィルタースクリーンプレートから吹き出されることを特徴とする請求項１に記載のパソコンデスク。
【請求項５】
前記引き出し部品は前記デスク面の中に位置し、且つ下方に開口した二つのＴ型溝を含み、前記Ｔ型溝の底壁の中にはローラが回転できるように取り付けられ、前記ローラにはＴ型ブロックがスライドできるように取り付けられ、前記Ｔ型ブロックの底部端面には引出し箱が連結され、前記引出し箱がスライドして使用されることができることを特徴とする請求項１に記載のパソコンデスク。
【手続補正２】
【補正対象書類名】明細書
【補正対象項目名】全文
【補正方法】変更
【補正の内容】
【発明の詳細な説明】
【技術分野】
【０００１】
本発明はコンピュータデスク分野に関わり、具体的にはパソコンデスクである。
【背景技術】
【０００２】
デスクトップパソコンは一般にコンピュータデスクに置かれ、デスクトップパソコンに多いデータケーブルがあり、きちんと整理しないと散らかって見え、多数のパソコンデスクを設計する人はデータケーブルの並び問題をあまり考えなく、また長い時間でパソコンを使用すると体が疲れ、現有のパソコンデスクには体をリラックスさせる設計が欠けている。
【先行技術文献】
【特許文献】
【０００３】
【特許文献１】中国特許出願公開第１０６３８８２７５号明細書
【発明の概要】
【発明が解決しようとする課題】
【０００４】
本発明はパソコンデスクを提供し、既存技術の中の上記欠点を解消することを目的とする。
【課題を解決するための手段】
【０００５】
本発明実施例のパソコンデスクは、デスク面を含み、前記デスク面の頂部端面にはディスプレー装置を置くことができ、前記デスク面の底部端面には前後左右対称であるデスク脚が設置され、前記デスク面の中には二つの対称的で、且つ腕を置くことができる、折り畳み可能な腕支持部品が設置され、前記腕支持部品は前記デスク面の底部端面に位置する二つの板溝を含み、前記板溝の左右壁の間には回転溝が設置され、前記回転溝の間には回転ロッドが回転できるように装着され、前記回転ロッドには第一シェルフが固定的に取り付けられ、前記第一シェルフを前記板溝の中に収めることができ、左右両側の前記腕支持部品の間には脚を載せられ、且つ上下に収縮することができる脚載せ部品が設置され、前記デスク面の底部端面にはピーシーケースが設置され、前記ピーシーケースの中には前方に開口したホストコンピュータチャンバが設置され、前記ホストコンピュータチャンバの中にはホストコンピュータを置くことができ、前記ピーシーケースの中及び前記デスク面の間には前記ホストコンピュータと前記ディスプレー装置とを連結する配線部品が設置され、前記ピーシーケースの中には空気の中のほこりをろ過するろ過部品が設置され、前記デスク面の底部端面の中にはまたスライドできる引き出し部品が設置される。
【０００６】
さらなる技術プランとして、前記腕支持部品はまた前記回転溝の右側に位置する引っ掛かり溝を含み、前記引っ掛かり溝の中にはスプラインブロックが弾性的に取り付けられ、前記回転ロッドが前記引っ掛かり溝の中に入り、前記回転ロッドと前記スプラインブロックとをスプラインにより結合し、前記引っ掛かり溝の底壁には下方に開口した回し溝が設置され、前記スプラインブロックの底部端面には回しブロックが設置され、前記回しブロックが前記回し溝から突き出し、前記脚載せ部品は二つの前記板溝の間に位置する二つのスライドブロック溝を含み、前記スライドブロック溝の後側壁には縄巻きチャンバが連通するように設置され、前記縄巻きチャンバが下方に開口しており、前記スライドブロック溝の中にはスライドブロックがスライドできるように取り付けされ、前記縄巻きチャンバの左右壁の間にはリールが回転できるように取り付けられ、前記スライドブロックの後側端面には引縄が連結され、前記引縄が前記リールを避けて通った後前記縄巻きチャンバから突き出し、左右両側の前記引縄の間には第二シェルフが連結され、前記スライドブロックと前記スライドブロック溝の後側壁との間にはばねが設置される。
【０００７】
さらなる技術プランとして、前記配線部品は前記ホストコンピュータチャンバの頂壁上方に位置する三つの伸縮チャンバを含み、左から右までの前記伸縮チャンバの中には順にＵＳＢケーブルと、第一データ線と第一電源コードとが設置され、前記伸縮チャンバの後側壁には弾力帯が設置され、前記ＵＳＢケーブルと、第一データ線と第一電源コードには連結ブロックが設置され、前記弾力帯と前記連結ブロックとが固定的に連結され、前記デスク面の頂部端面には二つのＵＳＢコネクタ箱が設置され、前記ＵＳＢコネクタ箱と前記ＵＳＢケーブルとが連結され、前記ピーシーケースの右側端面には第二電源コードが連結され、前記第二電源コードと前記第一電源コードとが連結され、前記ディスプレー装置と前記デスク面との間には第二データ線と第三電源コードとが連結され、前記第二データ線と前記第一データ線とが連結され、前記第三電源コードと前記第二電源コードとが連結される。
【０００８】
さらなる技術プランとして、前記ろ過部品は、前記ホストコンピュータチャンバの後側壁に位置し、且つ後方に開口した第一ろ過溝を含み、前記ピーシーケースの左端面には前記第一ろ過溝を貫通する第一フィルタースクリーンプレートが挿入連結されるように装着され、前記ホストコンピュータチャンバの左側壁には左方に開口した第二ろ過溝が設置され、前記ピーシーケースの前側端面には前記第二ろ過溝を貫通する第二フィルタースクリーンプレートが挿入連結されるように装着され、前記ピーシーケースの前側端面には遮りドアがヒンジにより連結される。
【０００９】
さらなる技術プランとして、前記引き出し部品は前記デスク面の中に位置し、且つ下方に開口した二つのＴ型溝を含み、前記Ｔ型溝の底壁の中にはローラが回転できるように取り付けられ、前記ローラにはＴ型ブロックがスライドできるように取り付けられ、前記Ｔ型ブロックの底部端面には引出し箱が連結される。
【発明の効果】
【００１０】
本発明の有益な効果は：本発明には腕を置くと脚を載せることができるシェルフが備わっており、それにより、身体がなるべく気楽な状態を保つことができ、ホストコンピュータがホストコンピュータチャンバの中のいろいろな線路と連結されることができ、ディスプレー装置がデスク面の線路と連結されることができ、線路がより整っていて清潔であり、装置整体がきれいに見え、ホストコンピュータチャンバに設置されるろ過部品はホストコンピュータの中にほこりを積み上げることを防止でき、普及する価値がある。
【図面の簡単な説明】
【００１１】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の全体構造概略図
【図２】図２はピーシーケースのＡ方向の構成概略図
【図３】図３はピーシーケースのＢ―Ｂ方向の断面構成概略図
【図４】図４は図１の中のＣ―Ｃ方向の断面構成概略図
【図５】図５は図１の中のＤ―Ｄ方向の断面構成概略図
【図６】図６は図１の中のＥのところの拡大概略図
【図７】図７は図１の中のＦのところの拡大概略図
【図８】図８は図１の中のＧのところの拡大概略図
【発明を実施するための形態】
【００１３】
図１〜８を参照し、本発明実施例のパソコンデスクは、デスク面１０を含み、前記デスク面１０の頂部端面にはディスプレー装置２１を置くことができ、前記デスク面１０の底部端面には前後左右対称であるデスク脚１１が設置され、前記デスク面１０の中には二つの対称的で、且つ腕を置くことができる、折り畳み可能な腕支持部品９０１が設置され、前記腕支持部品９０１は前記デスク面１０の底部端面に位置する二つの板溝３７を含み、前記板溝３７の左右壁の間には回転溝４０が設置され、前記回転溝４０の間には回転ロッド４１が回転できるように装着され、前記回転ロッド４１には第一シェルフ３８が固定的に取り付けられ、前記第一シェルフ３８を前記板溝３７の中に収めることができ、左右両側の前記腕支持部品９０１の間には脚を載せられ、且つ上下に収縮することができる脚載せ部品９０２が設置され、前記デスク面１０の底部端面にはピーシーケース１２が設置され、前記ピーシーケース１２の中には前方に開口したホストコンピュータチャンバ１４が設置され、前記ホストコンピュータチャンバ１４の中にはホストコンピュータ１９を置くことができ、前記ピーシーケース１２の中及び前記デスク面１０の間には前記ホストコンピュータ１９と前記ディスプレー装置２１とを連結する配線部品９０３が設置され、前記ピーシーケース１２の中には空気の中のほこりをろ過するろ過部品９０４が設置され、前記デスク面１０の底部端面の中にはまたスライドできる引き出し部品９０５が設置される。
【００１４】
前記腕支持部品９０１はまた前記回転溝４０の右側に位置する引っ掛かり溝４６を含み、前記引っ掛かり溝４６の中にはスプラインブロック４５が弾性的に取り付けられ、前記回転ロッド４１が前記引っ掛かり溝４６の中に入り、前記回転ロッド４１と前記スプラインブロック４５とをスプラインにより結合し、前記引っ掛かり溝４６の底壁には下方に開口した回し溝４７が設置され、前記スプラインブロック４５の底部端面には回しブロック４８が設置され、前記回しブロック４８が前記回し溝４７から突き出し、前記脚載せ部品９０２は二つの前記板溝３７の間に位置する二つのスライドブロック溝３５を含み、前記スライドブロック溝３５の後側壁には縄巻きチャンバ３３が連通するように設置され、前記縄巻きチャンバ３３が下方に開口しており、前記スライドブロック溝３５の中にはスライドブロック３６がスライドできるように取り付けされ、前記縄巻きチャンバ３３の左右壁の間にはリール３４が回転できるように取り付けられ、前記スライドブロック３６の後側端面には引縄２４が連結され、前記引縄２４が前記リール３４を避けて通った後前記縄巻きチャンバ３３から突き出し、左右両側の前記引縄２４の間には第二シェルフ２５が連結され、前記スライドブロック３６と前記スライドブロック溝３５の後側壁との間にはばね６７が設置され、回しブロック４８を右へプッシュしてスプラインブロック４５を連動させて右へ移動させ、前記第一シェルフ３８を半周反転させ、回しブロック４８を放した後にスプラインブロック４５が復帰して回転ロッド４１をロックし、脚を直接第二シェルフ２５に載せ、引縄２４とスライドブロック３６とを引いて移動させ、ばね６７を圧縮し始め、ばね６７の推力と脚の重力とがバランスを取った後に第二シェルフ２５の位置が安定する。
【００１５】
前記配線部品９０３は前記ホストコンピュータチャンバ１４の頂壁上方に位置する三つの伸縮チャンバ４３を含み、左から右までの前記伸縮チャンバ４３の中には順にＵＳＢケーブル１６と、第一データ線１７と第一電源コード１８とが設置され、前記伸縮チャンバ４３の後側壁には弾力帯４２が設置され、前記ＵＳＢケーブル１６と、第一データ線１７と第一電源コード１８には連結ブロック４４が設置され、前記弾力帯４２と前記連結ブロック４４とが固定的に連結され、前記デスク面１０の頂部端面には二つのＵＳＢコネクタ箱２０が設置され、前記ＵＳＢコネクタ箱２０と前記ＵＳＢケーブル１６とが連結され、前記ピーシーケース１２の右側端面には第二電源コード６６が連結され、前記第二電源コード６６と前記第一電源コード１８とが連結され、前記ディスプレー装置２１と前記デスク面１０との間には第二データ線２２と第三電源コード２３とが連結され、前記第二データ線２２と前記第一データ線１７とが連結され、前記第三電源コード２３と前記第二電源コード６６とが連結され、それによりディスプレー装置２１とホストコンピュータ１９との連結に便利である。
【００１６】
前記ろ過部品９０４は、前記ホストコンピュータチャンバ１４の後側壁に位置し、且つ後方に開口した第一ろ過溝３１を含み、前記ピーシーケース１２の左端面には前記第一ろ過溝３１を貫通する第一フィルタースクリーンプレート１３が挿入連結されるように装着され、前記ホストコンピュータチャンバ１４の左側壁には左方に開口した第二ろ過溝２８が設置され、前記ピーシーケース１２の前側端面には前記第二ろ過溝２８を貫通する第二フィルタースクリーンプレート３０が挿入連結されるように装着され、前記ピーシーケース１２の前側端面には遮りドア３２がヒンジにより連結され、ホストコンピュータ１９を起動する時、空気が第二フィルタースクリーンプレート３０によりろ過された後にホストコンピュータ１９の中に吸い込まれ、第一フィルタースクリーンプレート１３から吹き出される。
【００１７】
前記引き出し部品９０５は前記デスク面１０の中に位置し、且つ下方に開口した二つのＴ型溝５０を含み、前記Ｔ型溝５０の底壁の中にはローラ５２が回転できるように取り付けられ、前記ローラ５２にはＴ型ブロック５１がスライドできるように取り付けられ、前記Ｔ型ブロック５１の底部端面には引出し箱２６が連結され、引出し箱２６がスライドして使用されることができる。
【００１８】
使用する時、第一シェルフ３８を反転させる時、回しブロック４８を右へプッシュしてスプラインブロック４５を連動させて右へ移動させ、スプラインブロック４５が回転ロッド４１との協働から離脱し、第一シェルフ３８が自重の作用の下で回転ロッド４１を回転連動させ始め、第一シェルフ３８を半周反転させ、回しブロック４８を放した後にスプラインブロック４５が復帰して回転ロッド４１と協働され、回転ロッド４１をロックする。
【００１９】
脚を載せる時、脚を第二シェルフ２５に載せ、脚の重力により引縄２４を引いて下へ移動させ、引縄２４がスライドブロック３６を移動連動させ、ばね６７を圧縮し始め、ばね６７の推力と脚の重力とがバランスを取った後に第二シェルフ２５の位置が安定する。
【００２０】
ＵＳＢケーブル１６とホストコンピュータ１９のＵＳＢ配線穴とが連結され、第一データ線１７とホストコンピュータ１９のディスプレー装置インターフェイスとが連結され、第一電源コード１８とホストコンピュータ１９の電源ポートとが連結され、ＵＳＢコネクタ箱２０にはＵＳＢメモリーと、マウスとキーボードなどを插入でき、第二電源コード６６が電源と連結されたあとにホストコンピュータ１９とディスプレー装置２１に電力を提供できる。
【００２１】
ホストコンピュータ１９を起動する時、空気が第二フィルタースクリーンプレート３０からホストコンピュータチャンバ１４の中に吸い込まれ、第一フィルタースクリーンプレート１３から吹き出され、吸い込まれた空気が第二フィルタースクリーンプレート３０によりろ過された後にホストコンピュータ１９の中に入り、ホストコンピュータ１９の中にほこりを積み上げることを防止する。
【００２２】
本発明の有益な効果は：本発明には腕を置くと脚を載せることができるシェルフが備わっており、それにより、身体がなるべく気楽な状態を保つことができ、ホストコンピュータがホストコンピュータチャンバの中のいろいろな線路と連結されることができ、ディスプレー装置がデスク面の線路と連結されることができ、線路がより整っていて清潔であり、装置整体がきれいに見え、ホストコンピュータチャンバに設置されるろ過部品はホストコンピュータの中にほこりを積み上げることを防止でき、普及する価値がある。
【００２３】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。